(57)【要約】【課題】遊技領域に制約を受けることなく、また、遊技盤の下方、横方に関わりなくピアノ線等の侵入物の侵入を防止し、例えば始動口の命釘を曲げたり、構成物を損壊させる等して不正に入賞させたり、入賞率を高くするのを防止すること。【解決手段】遊技盤の前面に遊技球が転動する遊技領域を視認することのできる窓部を有する前面枠セットを備え、前記遊技領域内には構成物が遊技盤面から窓部側に突出するように設けられている遊技機。前記窓部を少なくとも二層の透明板により構成し、その遊技盤側の透明板に凹部を設け、これに前記防御部材の先端部を係入させてある。【選択図】  図６
2011139946.tif 000002
【特許請求の範囲】
【請求項１】
遊技盤の前面に遊技球が転動する遊技領域を視認することのできる窓部を有する前面枠セットを備え、前記遊技領域内には構成物が遊技盤面から窓部側に突出するように設けられている遊技機において、
前記窓部が少なくとも前後に所定の間隔を隔てた二層の透明板により構成されており、
前記二層の透明板の遊技盤側の透明板には、遊技領域内において凹部が設けられ、
遊技領域内において遊技盤又は構成物と窓部との間を閉塞する防御部材が、その先端部が、前面枠セットの閉鎖状態において、前記凹部に係入する状態で、遊技盤に直接又は前記構成物に設けられていることを特徴とする遊技機。
【発明の詳細な説明】
【技術分野】
【０００１】
本発明は、遊技球を用いて遊技を行う遊技機に関する。
【背景技術】
【０００２】
遊技機の一つであるパチンコ機（ここでは第２種を例とする）では、違法な操作で遊技を行うゴト師が、不正を行い易くするために一般的な遊技を行う動作に紛れて、例えばピアノ線等を、前面枠セットを前面側に引っ張って遊技機本体枠との間隙を広げて遊技領域内に侵入させ、或いは、遊技球払出通路部分に穿孔してピアノ線を遊技領域内に侵入させ、以って、図１０に示すように、上部の羽根物である電動役物ユニット６０３に対する誘導釘７１２を矢印で示すごとく曲げ、或いは、羽根物の入賞装置（羽根或いは入賞率を左右するキャラクター）に直接アタックして不正に入賞率を高めたり、その上方の風車７１１の軸を矢印で示すように曲げたり、また、図１４に示す如く、第１始動口６０１の命釘７１３、その上方の案内釘７１４等を矢印に示すように曲げて入賞率を高めたり、第１始動口６０１の右側方の案内釘７１５を曲げて、下方の第２始動口（図外）への入賞率を高めたり等の問題を起こしており、これを防止する必要がある。
【０００３】
特に、電動役物ユニット６０３に対する命釘、案内釘を変形されて不正に入賞率を高められると、羽根物が開き作動して直接賞品球を大量に出すこととなって、一般の始動口（第１種の場合は単に始動回数が増加するだけ）の釘改変とは異なり、非常に大きな影響を及ぼすことになる。
【０００４】
こうした不正に対処する具体方法として、遊技盤面の遊技球に対するレールの外側に、侵入防止壁を設け、これによって、遊技機本体の一部、例えば、前面枠セットと遊技機本体枠との隙間（前面枠セットを前側に引っ張る）、或いは樹脂製の払出通路の一部に不正に穿孔（電気コテ等の手段で）穿孔された孔からピアノ線等の侵入物を挿入し、始動口の上部の命釘を湾曲改変するのを防止するという手段が講じられていた。
かかる従来技術としては、次の技術が挙げられる。
【先行技術文献】
【特許文献】
【０００５】
【特許文献１】特開平６−１１４１４６号公報。
【発明の概要】
【発明が解決しようとする課題】
【０００６】
しかし乍ら、上述した侵入防止壁は、レールの外側、即ち、遊技領域の外側で、遊技盤の下部に敷設されるものであり、この侵入防止壁を設けるためのスペースを確保するために、遊技領域が狭くなると共に狭いスペースに侵入防止壁を設けるために、侵入防止壁は構造上の制約を受けるという問題があった。
また、遊技盤の下方のスペースに敷設されているものであるから、遊技盤の横側方からピアノ線等を挿入された場合には防ぎきれないという問題もある。そして、払出口からの電気コテ等の不正の穿孔を防止するために金属板を用いる必要性があり、また、金属板を用いても防ぎきれない場合もある。
更に、不正防止対策を施すことで、遊技領域における意匠効果を低下させてはならず、寧ろ、遊技領域は、遊技者の視線が注がれるところであるから、不正対策の有無に関わらず、遊技性を考慮して常に意匠効果を高めるようにする必要がある。
【０００７】
本発明は、遊技領域に制約を受けることなく、また、遊技盤の下方、横方に関わりなくピアノ線等の侵入物の侵入を防止し、例えば始動口の命釘を曲げたり、構成物を損壊させる等して不正に入賞させたり、入賞率を高くするのを防止すると共に遊技機の意匠効果を損なわず寧ろ高めることのできる遊技機を提供することを目的とする。
【課題を解決するための手段】
【０００８】
上記の目的を達成するために、本発明に係る遊技機は、
遊技盤の前面に遊技球が転動する遊技領域を視認することのできる窓部を有する前面枠セットを備え、前記遊技領域内には構成物が遊技盤面から窓部側に突出するように設けられている遊技機において、
前記窓部が少なくとも前後に所定の間隔を隔てた二層の透明板により構成されており、
前記二層の透明板の遊技盤側の透明板には、遊技領域内において凹部が設けられ、
遊技領域内において遊技盤又は構成物と窓部との間を閉塞する防御部材が、その先端部が、前面枠セットの閉鎖状態において、前記凹部に係入する状態で、遊技盤に直接又は前記構成物に設けられていることを特徴としている。
【発明の効果】
【０００９】
本発明によれば、遊技領域内に防御部材を設けたことによって、従来のような防御部材を設けるために遊技領域を狭く構成しなければならない等の制約を受けることなく、また、遊技盤の下方、横方に関わりなくピアノ線等の侵入物の侵入を防止して遊技領域内の構成物が不正に改変され、結果として遊技球の入賞率（一般入賞球、始動球等）を不正に高められるのを防止することが出来る。
更に、防御部材が遊技領域内に設けられていることは窓部から視認できるので、ゴト師に対して防御対策が講じられていることを予めアピールすることができて、これによって、無意味な払出通路の穿孔等、遊技機の損傷を未然に回避できる。
特に、本発明にあっては、防御部材の先端部が、二層の透明板の遊技盤側の透明板に設けた凹部に係入されるという構造を採っているので、前面枠セットの閉鎖に際して前記防御部材が邪魔にならず、スムースに閉鎖できると共に、例えば、透明板と構成物又は遊技盤との間に介在される如き防御部材では、その防御部材と透明板との間を無理にこじ開けてピアノ線が侵入されるという事態が発生する虞があるが、本発明では、前記防御部材の透明板への係入構造によって、こうした事態を確実に阻止できるのである。
そして、本発明においては、防御部材の先端部が、前面枠セットの閉鎖状態において、前記凹部に係入する状態で設けられている構成であるので、この防御部材を意匠物としたり、これを発光させたり、或いは発光手段を介して意匠効果を演出することができる利点もある。
【図面の簡単な説明】
【００１０】
【図１】パチンコ機の正面図。
【図２】外枠に対して内枠と前面枠セットセットとを開放した状態を示す斜視図。
【図３】パチンコ機から前面枠セットセットを取り外した状態を示す正面図。
【図４】遊技盤の構成を示す正面図。
【図５】前面枠セットの背面図。
【図６】防御部材を設けた第２始動口の斜視図。
【図７】防御部材を設けた第２始動口の正面図。
【図８】防御部材を設けた第２始動口部近辺の縦断側面図。
【図９】防御部材の一変形例を示す第２種遊技機の正面図。
【図１０】第１種及び第２種遊技機の始動口に係わる概略説明図。
【図１１】防御部材の一変形例の作用を示す斜視図。
【図１２】防御部材の要部の縦断側面図。
【図１３】防御部材の一変形例の要部の縦断側面図。
【図１４】防御部材の一変形例の要部の縦断側面図。
【図１５】防御部材の一変形例の要部の縦断側面図。
【発明を実施するための形態】
【００１１】
本発明を説明するにあたり、名称の意味合いを説明しておく。
本発明に言う「遊技領域」とは、外レール及び内レールによって囲われた領域を言う。更に、具体的には、以下の実施例において詳細に特定している。
そして、「遊技領域を視認することのできる窓部」とは、二層（或いは三層で構成する場合もある）のガラス乃至透明な合成樹脂板によって覆われた構造の窓を言う。
また、本発明に言う「構成物」とは、遊技盤上の遊技領域に敷設された全てのものを含み、例えば、一般入賞口構成物、大当たり入賞口構成物、可変入賞装置（羽根）、始動口構成物、風車、役物（キャラクター等）の意匠構造物、照明構造物、誘導釘、命釘、スルーゲート等が含まれる。
更に、「遊技盤の側方」とは、矩形の遊技盤にあってはその４側辺を意味し、遊技盤が円形、楕円形である場合には、その周側を意味する。
また、「侵入物」とは、主にピアノ線を意味するが、針金、可撓性棒状材、その他これらに類する物で、専らゴト師が遊技機本体、遊技領域内に挿入して不正に用いる器具類を意味する。
更に、本発明に言うＬＥＤは、種々の公知の発光ダイオードを意味し、その発光色について何等限定をつけるものではない。
また、ＥＬについても、種々の公知のエレクトロルミネセンスを意味し、その発光色について何等限定をつけるものではない。
【００１２】
本発明にかかる手段１の遊技機は、遊技盤の前面に遊技球が転動する遊技領域を視認することのできる窓部を有する前面枠セットを備え、前記遊技領域内には構成物が遊技盤面から窓部側に突出するように設けられている遊技機において、
前記窓部が少なくとも前後に所定の間隔を隔てた二層の透明板により構成されており、
前記二層の透明板の遊技盤側の透明板には、遊技領域内において凹部が設けられ、
遊技領域内において遊技盤と窓部との間を閉塞する防御部材が、その先端部が、前面枠セットの閉鎖状態において、前記凹部に係入する状態で、遊技盤に直接又は前記構成物に設けられていることを特徴とする。
【００１３】
上記の如く、前記遊技領域内に、遊技盤又は構成物と窓部との間を閉塞する防御部材を設けたことによって、従来の防御部材を設けるために遊技領域を狭く構成しなければならない等の制約を受けることなく、また、遊技盤の下方、横方に関わりなくピアノ線等の侵入物の侵入を防止し、例えば始動口の命釘を曲げたり、構成物を損壊させる等して不正に入賞率を高くするのを防止するが出来る。
そして、防御部材が遊技領域内に設けられていることは窓部から視認できるので、ゴト師に対して防御対策が講じられていることを予めアピールすることができて、これによって、無意味な払出通路の穿孔、構成物の損壊等を未然に回避できる。
【００１４】
更に、防御部材の先端部が、二層の透明板の遊技盤側の透明板に設けた凹部に係入されるという構造を採っているので、前面枠セットの閉鎖に際して前記防御部材が邪魔にならず、スムースに閉鎖できると共に、例えば、透明板と構成物又は遊技盤との間に介在される如き防御部材では、その防御部材と透明板との間を無理にこじ開けてピアノ線が侵入されるという事態が発生する虞があるが、本発明では、前記防御部材の透明板への係入構造によって、こうした事態を確実に阻止できる。
そして、本発明においては、防御部材が、その先端部が、前面枠セットの閉鎖状態において、前記凹部に係入する状態で設けられている構成であるので、この防御部材を意匠物としたり、これを発光させたり、或いは発光手段を介して意匠効果を演出することも可能である。
【００１５】
手段２：手段１において、
前記遊技盤側の透明板の凹部が、該透明板を切り欠いて構成されていることを特徴とする。
このように、前記防御部材を係入する凹部を、透明板の切り欠きによって構成することで、既存の透明板を後加工することで容易に構成することができて、成形物として凹部を成型する方式に比べれば、コスト高を抑えることができる。
【００１６】
手段３：手段２又は手段２において、
前記透明板に設けた切り欠き凹部が、正面視において、遊技領域内の内レールよりも内側位置において、該内側レールに沿って円弧状に形成されており、前記防御部材の先端部が、前記前面枠セットの閉鎖状態において、前記切り欠き凹部に係入する状態で円弧状に構成されていることを特徴とする。
【００１７】
手段４：手段２又は手段３において、
前記防御部材が、透明又は半透明の外郭部の内部に発光手段を内蔵して構成されていることを特徴とする。
このように、発光手段を、前記防御部材の透明又は半透明の外郭部の内部に内蔵することで、防御部材自体を発光させることができて、不正に対する防御機能に加えて、意匠効果も持たせることができるようになり、ゴト師に対する防御部材の存在告知と共に意匠的にも優れた遊技機を提供できる。
手段５：手段１乃至手段４において、
前記二層の透明板の遊技盤側の透明板が導光板で構成され、該導光板には溝刻設による意匠が形成されており、前記導光板の切り欠き端面に対して光を照射して前記意匠を映し出すように構成してあることを特徴とする。
このように、前記透明板が導光板で構成され、そこに刻設により意匠が形成され、発光手段によって前記意匠が写し出されるようにしたことで、防御部材としてのピアノ線等の侵入を確実に阻止する効果を発揮しながら、その防御部材の導光板への係入構造を利用して発光による意匠効果も提供できるという利点がある。
【００１８】
手段６：手段４において、
前記防御部材内に設けられた発光手段がＬＥＤであり、前記切り欠き凹部を通って窓部の前面に照射する部位に設けられていることを特徴とする。
このように、ＬＥＤを発光手段として用いることで、防御部材が小さくても十分に内蔵させることが出来ると共に窓部の前面に照射する部位に設けることで、照射によるゴト師への防御部材存在の告知と、その防御部材が二層の透明板の窓部に対する係入状態で設けられていることでピアノ線挿入による不正が不可能であることを知らしめることが出来る。
【００１９】
手段７：手段４において、
前記防御部材内に設けられた発光手段がＬＥＤであり、前記導光板の切り欠き端面に対向した位置に設けられ、前記防御部材の透明又は半透明の外郭部が前記導光板の切り欠き端面に対向した部分に設けられていることを特徴とする。
このように、防御部材に内蔵する発光手段をＬＥＤとすることで、防御部材が小さくても容易に内蔵できると共に防御部材の透明又は半透明の外郭部を前記導光板の切り欠き端面に対向した部分に設けることで、前記ＬＥＤの光をその導光板の切り欠き端面に集光させることができて効率よく照射でき、前記導光板の意匠の発光、映し出しをより効果的に行うことが出来る。
【００２０】
手段８：手段２において、
前記防御部材が、所定の太さの光ファイバーの集合体で構成され、その遊技盤側の端面に発光手段としてのＥＬ又はランプが設けられ、先端側面が遊技盤側の透明板の切り欠き部に係入され、前記ＥＬによって窓部側に照射できるように構成されていることを特徴とする。
このように、防御部材を、所定の太さの光ファイバーの集合体で構成することで、防御部材自体が発光手段の一部を兼ねることになり、部材点数、構造を簡潔にしながら目的を達成できると共に光ファイバーを集合させるときに任意の形状に束ねることが可能であるので、単独で設置することは勿論のこと、所定の正面視形状（遊技盤の前面から見た）を有する構造物を基礎とした場合であっても、この形状に合わせた曲線等に合わせて集合させて設置するこことが出来る。
また、発光手段としてＥＬを用いれば、薄いパネル状であるので、設置スペースを取ることもなく、また、光ファイバーの集合体の端面に貼り付ける状態で設置可能であり、全体をコンパクトに出来ると共にランプの場合には大きな発光エネルギーにより光ファイバーの集合体の端面に照射できて十分な輝度をもってゴト師に対して防御部材の存在を告知することができる。
【００２１】
手段９：手段２又は手段８において、
前記防御部材が、所定の太さの光ファイバーの集合体で構成され、その遊技盤側の端面に発光手段としてのＥＬ又はランプが設けられ、先端側面が遊技盤側の透明板の切り欠き部に係入され、且つ、前記導光板の切り欠き端面に対応する光ファイバーの部分に切り欠きが形成されて導光板の切り欠き端面に光を導くように構成し以って前記意匠を映し出すように構成してあることを特徴とする。
このように防御部材を、所定の太さの光ファイバーの集合体で構成することで、防御部材自体が発光手段の一部を兼ねることになり、部材点数、構造を簡潔にしながら目的を達成できると共に光ファイバーを集合させるときに任意の形状に束ねることが可能であるので、単独で設置することは勿論のこと、所定の正面視形状（遊技盤の前面から見た）を有する構造物を基礎とした場合であっても、この形状に合わせた曲線等に合わせて集合させて設置するこことが出来る。
また、発光手段としてＥＬを用いれば、薄いパネル状であるので、設置スペースを取ることもなく、また、光ファイバーの集合体の端面に貼り付ける状態で設置可能であり、全体をコンパクトに出来ると共にランプの場合には大きな発光エネルギーにより光ファイバーの集合体の端面に照射できて十分な輝度をもってゴト師に対して防御部材の存在を告知することができる。
加えて、窓部の２層の透明板の遊技盤側の透明板を導光板とした場合に、前記導光板の切り欠き端面に対応する光ファイバーの部分に切り欠きが形成されて導光板の切り欠き端面に光を導くことができて、光ファイバーの集合体で防御部材を構成するものでありながら、その導光板の意匠を映し出すことができる。
【００２２】
手段１０：手段２において、
前記二層の透明板の遊技盤側の透明板が導光板で構成され、該導光板には溝刻設による意匠が形成されており、前記防御部材が、前記導光板の切り欠き端面に対して光を照射する発行手段としてのＬＥＤを備え、且つ、窓部の前方に光を照射する光ファイバーの集合体と、該光ファイバーの集合体に対する発光手段としてのＥＬ又はランプを備えていることを特徴とする。
このように構成したことで、防御部材に対するＬＥＤの設置、及び光ファイバーの集合体の設置について、防御部材の一部又は全部を透明な外郭部材で構成する必要はなく、防御部材の構成を簡単なものとすることが出来る。例えば、防御部材を不透明な合成樹脂の成型でもって構成することが可能である。
【００２３】
以下、本発明の一実施の形態を、図面に基づいて詳細に説明する。ここでは、遊技機としてパチンコ遊技機（以下、単に「パチンコ機」という）を挙げるが、本発明は、パチンコ機の入賞装置の他に、球体を用いて遊技盤上で遊技を行う遊技機一般の入賞装置を対象とすることができる。なお、実施形態は、本発明の主旨から逸脱しない限り適宜設計変更可能なものである。
（パチンコ機正面側の構成）
図１はパチンコ機１０の正面図であり、図２は、外枠１１に対して内枠１２と前面枠セット１４とを開放した状態を示す斜視図である。但し、図２では便宜上、下皿ユニット１３が内枠１２から取り外された状態を示している。
【００２４】
図１，２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に詳細に説明する。
【００２５】
上記外枠１１は、木製の板材により全体として矩形状に構成され、小ネジ等の離脱可能な締結具により各板材が組み付けられている。本実施の形態では、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属により構成されていてもよい。このように構成することにより、パチンコ機の軽量化を図ることができるからである。
【００２６】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００２７】
上記内枠１２の構成を、図３も用いて詳細に説明する。図３は、パチンコ機１０から前面枠セット１４を取り外した状態を示す正面図である（但し、図３では便宜上、遊技盤３０面上の遊技領城内の構成〔釘、センター役物等〕を空白で示している）。
【００２８】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。これらの各構成を以下に詳細に説明する。
【００２９】
上記下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、遊技球発射装置３８によって遊技球が後述する遊技盤３０の方へ打ち込まれるようになっている。遊技球発射装置３８は、遊技球発射ハンドル１８と後述するセットハンドル２２８と発射モータ２２９（図６参照）などで構成されている。上記音出力口２４は、下皿ユニット１３内あるいは背面に設けられたスピーカ２４からの音を出力するための出力口である。また、灰皿２２は下皿１５の左方に設けられている。灰皿２２は左右方向（水平方向）の軸線を軸心にして回勣（例えば前方側に向けて前回り）するように、その右側が下皿１５に片待ち支持されている。
【００３０】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿奥方の前面パネル部分とを難燃性のＡＢＳ樹脂にて成形している。このため、この部分は燃えにくくなっている。
【００３１】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００３２】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本実施の形態では前飾り枠が省略され、前面枠セット１４に対し直接的に上皿１９が設けられている。この上皿１９も下皿１５と同様、表面層が難燃性のＡＢＳ樹脂にて成形される構成となっている。
【００３３】
ここで、前面枠セット１４は、少なくとも遊技球発射ハンドル１８に干渉しないようにして本パチンコ機１０の下方に拡張して設けられており、具体的な数値を示すと、パチンコ機１０の下端から前面枠セット１４の下端までの寸法（図１のＬ１）は、既存の一機種で例えば約２０１ｍｍであるのに対し、本パチンコ機１０では３０ｍｍ程小さく、約１７２ｍｍとなっている。また、これに伴いパチンコ機１０の下端から上皿１９までの寸法（図１のＬ２）も小さくなっており、既存の一機種では例えば約２９８ｍｍであるのに対し、本パチンコ機１０では２６１ｍｍとなっている。かかる構成では、上皿１９の位置を下げたことにより、パチンコ機１０の左方に設けられた球貸し装置のノズル部（いわゆる、象の鼻）と上皿１９との距離が大きくなって貸し出される遊技球のこぼれ落ちなどが懸念されるが、本実施例では、当該ノズル部からの遊技球を受ける部分（向かって左側部分）で上皿１９の周囲壁の一部を高くした（図１の高壁部１９ａ）。これにより、上皿１９の位置を下げた構成にあっても貸し遊技球のこぼれ落ち等の不都合が解消されるようになっている。なお、高壁部１９ａの高さ寸法は、上皿１９の下げ寸法に見合うものであればよく、本実施例では２５ｍｍとした。
【００３４】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。なお、遊技盤３０の上下方向の長さは４７６ｍｍ、左右方向の長さは４５２ｍｍとなっている（従来と同等サイズ）。
【００３５】
次に、図４を用いて遊技盤３０の構成を説明する。図４は遊技盤３０の構成を示す正面図である。遊技盤３０は、天入賞口６１０、一般入賞口６００、左右１対の第１始動口６０１、これら第１始動口６０１の中間部であって第１始動口６０１より若干下方に設けられた第２始動口６０２、遊技領域の略中央に設けられた電動役物ユニット（センター役物）６０３等を備えている。これらの一般入賞口６００、第１始動口６０１、第２始動口６０２、電動役物ユニット６０３等は、遊技盤３０における、ルータ加工によって形成された各貫通穴にそれぞれに配設され、遊技盤３０前面側から木ネジ等により取り付けられている。前述の天入賞口６１０、一般入賞口６００、第１の始動口６０１、第２の始動口６０２に対応する部位には、それぞれ、天入賞口入球センサ６０９、一般入賞口入球センサ６０７、第１始動口入球センサ６０５、第２始動口入球センサ６０６が設けられており、これらセンサは、図示しない電気配線を通じて後述する主制御基板（主制御装置）に接続されている。そして、天入賞口６１０、一般入賞口６００、第１始動口６０１、第２始動口６０２および電動役物ユニット６０３に遊技球が入球した場合には、上記各検出センサ（但し、電動役物ユニット６０３に遊技球が入球した場合には、後述の役物内入球口カウントセンサ７３０）で検出され、この検出センサの出力に基づいて、上皿１９（または下皿１５）へ所定数の賞品球が払い出される。
【００３６】
尚、上記入賞感知機構にて各々検出された検出結果は、後述する主制御基板に取り込まれ、該主制御基板よりその都度の入賞状況に応じた払出指令（遊技球の払出個数、但しＶゾーン入球センサ７２１での検出結果の場合は除く）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３７】
その他に、遊技盤３０の左右端には、上記一般入賞口６００を備えた装飾部材６３０が設けられる一方、遊技盤３０の下方には、上記第１始動口６０１、第２始動口６０２を備えた補助ユニット６０８が設けられている。また、遊技盤３０にはアウト口３６が設けられており、各種入賞装置等に入球しなかった遊技球はこのアウト口３６を通って図示しない球排出路の方へと案内されるようになっている。さらに、遊技盤３０には、遊技球の落下方向を適宜分散、調整等するために多数の釘が植設されているとともに、同様の機能を有する風車が配設されている。
【００３８】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、図３に示す奥面５０ａについての遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３９】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００４０】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。この実施例では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００４１】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００４２】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部および左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証祇との一義性を持たせることができる。
【００４３】
次に、遊技領域について説明する。遊技領域は、レールユニット５０の内周部（内外レール）により略円形状に区画形成されており、特に本実施の形態では、遊技盤３０の盤面上に区画される遊技領城が従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距部は４３５ｍｍ（従来品よりも５０ｍｍ長い）となっている。また、内レール５１の極左位置から内レール５１の極右位置までの間の距離は４１８ｍｍとなっている。
【００４４】
本実施の形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４５】
従って、本実施の形態では、遊技領域の幅（左右方向の最大幅）は、４１８ｍｍであり、遊技領域の高さ（上下方向の最大幅）は、４４５ｍｍである。
ここで、前記遊技領域の幅は、少なくとも３８０ｍｍ以上あることが望ましい。より好ましくは３９０ｍｍ以上、４００ｍｍ以上、４１０ｍｍ以上、４２０ｍｍ以上、４３０ｍｍ以上、４４０ｍｍ以上、４５０ｍｍ以上、さらに４６０ｍｍ以上であることが望ましい。もちろん、４７０ｍｍ以上であってもよい。すなわち、遊技領域の幅は、遊技領域拡大という観点からは大きい程好ましい。また、遊技領域の高さは、少なくとも４００ｍｍ以上あることが望ましい。より好ましくは４１０ｍｍ以上、４２０ｍｍ以上、４３０ｍｍ以上、４４０ｍｍ以上、４５０ｍｍ以上、さらに４６０ｍｍ以上であることが望ましい。もちろん、４７０ｍｍ以上、４８０ｍｍ以上、４９０ｍｍ以上としてもよい。すなわち、遊技領域の高さは、遊技領域拡大という観点からは大きい程好ましい。尚、上記幅および高さの組合せについては、上記数値を任意に組み合わせたものとしてもよい。
【００４６】
本実施の形態では、遊技盤３０面に対する遊技領域の面積の比率は約７０％と、従来に比べ格段に面積比が大きいものとなっている。なお、遊技盤３０面に対する遊技領域の面積比は、従来では５０％程度に過ぎなかったことから、遊技盤３０を共通とした前提においてはかなり遊技領域を拡大しているといえる。尚、パチンコ機１０の外形は遊技場への設置の都合上製造者間でほぼ統一されており、遊技盤３０の大きさも同様とせざるを得ない状況下において、上記のように遊技盤３０面に対する遊技領域の面積の比率を約２０％も高めたことは、遊技領域拡大の観点で非常に有意義である。ここで、前記比率は、少なくとも６０％以上であることが望ましい。さらに好ましくは６５％以上であり、より好ましくは７０％以上である。また、本実施形態の場合を越えて７５％以上であれば、一層望ましい。さらには、８０％以上であってもよい。
【００４７】
また、パチンコ機１０全体の正面側の面積に対する遊技領域の面積の比率は約４０％と、従来に比べ格段に面積比が大きいものとなっている。なお、パチンコ機１０全体の正面側の面積に対する遊技領域の面積比は、３５パーセント以上であるのが望ましい。もちろん、４０パーセント以上としてもよいし、４５パーセント以上、または５０パーセント以上としてもよい。
【００４８】
なお、遊技領域が左右方向に拡張されていることによって、複数の釘（遊技球を第１始動口６０１、第２始動口６０２、或いは役物内入球口６１２，６１３等に誘導するための誘導釘）、他の役物を種々配設することができ、電動役物ユニット６０３の左右両側の遊技領域での遊技球の挙動を一層面白くすることができるようになっている。また、遊技領域が上下方向にも拡張されていることから、さらに、複数の釘、風車、他の投物を種々配設することができ、遊技領域での上下方向の遊技球の挙動をより一層面白くすることができるようになっている。
【００４９】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００５０】
本パチンコ機１０の場合、遊技領域が従来よりも大幅に拡張されることは既に述べたが、かかる構成下では、誘導レールの曲率を小さくせざるを得ないことから、打出球を安定化させるための工夫を要する。そこで本実施の形態では、遊技球の発射位置を低くするとともに発射レール６１の傾斜角度（発射角度）を既存のものよりも幾分大きくし（すなわち発射レール６１を立ち上げるようにし）、さらに発射レール６１の長さを既存のものよりも長くして十分な長さの球誘導距離を確保するようにしている。これにより、遊技球発射装置３８から発射された遊技球をより安定した状態で誘導レールに案内できるようにしている。この場合特に、発射レール６１を、遊技球発射装置３８の発射位置から遊技領域の中央位置（アウト口３６）を越える位置まで延びるよう形成している。
【００５１】
また、発射レール６１とレールユニット５０（誘導レール）との問には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。因みに、本実施の形態の場合、発射レール６１の長さは約２４０ｍｍ、発射レール先端部の隙間の長さ（発射レール６１の延長線上の長さ）は約４０ｍｍである。
【００５２】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される、これにより、ファール球の全てがファール球通路６３に確実に案内されるようになり、ファール球と次に発射される遊技球との干渉が抑制される。
【００５３】
なお、詳しい図面の開示は省略するが、遊技球発射装置３８には、前面枠セット１４側の球出口（上皿１９の最下流部より通じる球出口）から遊技球が１つずつ供給される。この際、本実施の形態では遊技球の発射位置を低くしたため、前面枠セット１４側の球出口から前記発射位置への落差が大きくなるが、発射レール６１の基端部付近にはその右側と手前側にそれぞれガイド部材６５，６６を設置した。これにより、前面枠セット１４側の球出口から供給される遊技球が常に所定の発射位置にセットされ、安定した発射動作が実現できる。また、遊技球発射装置３８には打球槌が設けられ、軸部を中心とする打球槌の回動に伴い遊技球が発射されるが、打球槌に関して軽量化が望まれている。それ故、アルミニウム等の軽金属への材料変更や軸部寸法の縮小化により打球槌の軽量化を図る一方で、十分な発射力を確保すべく、打球槌のヘッド部（軸部と反対側の端部）に重り部を設けている。これにより、十分でかつ安定した遊技球の発射が実現できる。打球槌の重り部を上方に突出して設けることにより、打球槌を容易に摘んだりひっかけたりすることかでき、槌先の打球強さの調整等がしやすくなるという効果がある。
【００５４】
なお、図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている、前面枠セット１４を内枠１２から開放した状能（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、前飾り枠が省略され前面枠セット１４に対して上皿１９が直接設けられる構成とした本パチンコ機１０において、前面枠セット１４の開放に際し払出通路内等の遊技球がパチンコ機１０外にこぼれ落ちてしまうといった不都合が防止できるようになっている。
【００５５】
樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００５６】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００５７】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パチンコ店内）用コンピュータヘ出力されるようになっている。また、前面枠セット１４が閉じられると、図５に示す前面枠セットセット１４の金属製の補強板１３２，１３１が図３に示す内枠１２の一対の金具９２に接触するようになっており、前面枠セット１４のアースが確保されている。
【００５８】
ここで、前述した前面枠セット１４について、図１，図５を参照しつつより詳細に説明する。
図５は、前面枠セット１４の背面図である。前面枠セットセット１４には前記遊技領域のほとんどを外部から視認することができるよう略楕円形状の窓部１０１が形成されている。詳しくは、窓部１０１は、その左右側の略中央部が、上下側に比べて比較的緩やかに湾曲した形状となっている。なお、前記略中央部が直線状になるようにしてもよい。本実施の形態において、窓部１０１の上端（外レール５２の最上部、遊技領域の上端）と、前面枠セットセット１４の上端との間の距離（いわゆる上部フレーム部分の上下幅）は６１ｍｍとなっており、８５ｍｍ〜９５ｍｍ程度上部フレーム幅がある従来技術に比べて著しく短くなっている。これにより、遊技領域の上部領域が確保されやすくなるとともに、大型の電動役物ユニット６０３も比較的上方に配置することかできるようになっている。前面枠セットセット１４の上端との間の距離は８０ｍｍ以下であることが望ましく、より好ましくは７０ｍｍ以下であり、さらに望ましくは６０ｍｍ以下である。もちろん、所定の強度が確保できるのであれば、５０ｍｍ以下であっても差し支えない。
【００５９】
また、パチンコ機１０の正面から見て窓部１０１の左端と前面枠セットセット１４の左端との間の最短距離（いわゆる左側部フレーム部分の左右幅：図５では右側に示されている）、すなわち開閉軸線側のフレーム幅は、前面枠セットセット１４自体の強度および支持強度を高めるために比較的大きく設定されている。この場合、図１および図３を相互に比較すると明らかなように、前面枠セットセット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セットセット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セットセット１４の十分な強度および支持強度が確保可能となっている。ちなみに、パチンコ機１０の正面から見て外レール５２の左端位置と外枠１１の左端位置との左右方向の距離は２１ｍｍ、遊技領域の右端位置（内レール５１の右端位置）と外枠１１の右端位置との左右方向の距離は４４ｍｍとなっている。
【００６０】
加えて、前面枠セットセット１４にはその周囲（例えばコーナー部分）に各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００６１】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６２】
また、図１に示すように、前面枠セット１４の左側の小窓１０７付近を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００６３】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側および上側の補強板１３２，１３３の連結部には直接の接触を避けるための樹脂パーツ１３５が介在されている。このように補強板１３２，１３３の連結部に樹脂パーツ１３５を介在させているので、ノイズが補強板１３１〜１３４でループすることを防止できる。また、図５の右側の補強板１３１にはその中間位置にフック状をなす係合爪１３１ａが設けられており、この係合爪１３１ａは、前面枠セット１４を閉じた状態で内枠１２の孔部１２ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００６４】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【００６５】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす所定の間隔を隔てた前後一対のガラスからなる透明板１３７Ａ，１３７Ｂが各ガラス保持溝にて保持される。これにより、２枚の透明板１３７Ａ，１３７Ｂが前後に所定間隔を隔てて取着されるようになっている。
【００６６】
前述の通り本実施の形態のパチンコ機１０では遊技領域の拡張を図っていることから、前面枠セット１４を閉じた状態にあっては、内外のレール５１，５２により構成された誘導レールの一部が前面枠セット１４により覆い隠される構成となっている。それ故、当該誘導レールでは手前側の開放部が透明板１３７Ａ，１３７Ｂで覆えない部分ができてしまう。かかる場合、例えば、遊技球発射装置３８より発射された遊技球が戻り球防止部材５３まで至らず戻ってくると、当該遊技球が誘導レール外にこぼれたり（飛び出したり）、外レール５２と透明板１３７Ａ，１３７Ｂとの間に挟まってしまうおそれがある。そこで本実施の形態では、前面枠セット１４に、誘導レールの手前側開放部を被服するためのレールカバー１４０を取り付けている。
【００６７】
レールカバー１４０は略円弧状をなす略平板体であって、透明な樹脂により形成されている。レールカバー１４０は、その円弧形状が前記誘導レールの形状に対応しており、窓部１０１の周縁部に沿って、誘導レールの基端部から先端部近傍までの区間を覆うようにして前面枠セットｌ４の裏側に取着されている。特にレールカバー１４０の内径側の寸法・形状は内レール５２のそれにほぼ一致する。レールカバー１４０が取着された状態では、その表面側が透明板１３７Ａ，１３７Ｂに当接した状態となる。前面枠セット１４が閉じられた状態においては、レールカバー１４０の裏面が誘導レールのほぼ全域を覆うこととなる。これにより、誘導レールのほとんどの区問において遊技球の透明板１３７Ａ，１３７Ｂへの衝突を防止できる。従って、透明板１３７Ａ，１３７Ｂへの接触による破損等の悪影響を抑制することができる。
【００６８】
また、レールカバー１４０の右端部（すなわち、レールカバー１４０を前面枠セット１４に取着した図５の状態で右端となる部位）には、誘導レールが透明板１３７Ａ，１３７Ｂの側緑部からはみ出した部分を被覆するための被覆部１４１が設けられている。これにより、遊技球が誘導レール外にこぼれたり（飛び出したり）、外レール５２と透明板１３７Ａ，１３７Ｂとの間に挟まってしまうといった不具合の発生を防止することができる。
【００６９】
さらに、レールカバー１４０の裏側には、その内側縁に沿って円弧状に延びかつ図５の手前側に突出した突条１４２が形成されている。突条１４２は、前面枠セット１４が閉じられた状態において、誘導レール内に入り込んだ状態で内レール５２にほぼ一体的に重なり合うよう構成されている。従って、例えば前面枠セット１４と内枠１２との隙間から針金等を侵入させて不正行為を行おうとしても、誘導レールの内側にある遊技領域にまで針金等を侵入させることが非常に困難となる。結果として、針金等を利用して行われる不正行為を防止することができる。なお、突条１４２をより広い範囲で、例えばレールカバー１４０の内側縁の全域に沿って形成する構成としても良く、かかる構成によれば、より広い範囲で針金等を侵入させにくくなり、針金等を利用して行われる不正行為をより確実に防止することができる。
【００７０】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。
【００７１】
（パチンコ機の背面構成他）
パチンコ機１０の背面の構成については、各種制御基板、遊技球供給装置（払出機構）等が備えられるが、本発明の本旨から外れるので、ここでの詳細説明は省略する。同様に、本実施例にかかるパチンコ機のその他の基本構成、例えば、電動役物ユニットの具体構成、作用説明等についてもその詳細説明は省略する。
〔本発明の特徴構成部〕
図４、図６乃至図８に示すのは、遊技盤３０の前面に遊技球が転動する遊技領域を視認することのできる窓部１０１を有する前面枠セット１０４を備え、前記遊技領域内には構成物が遊技盤面から窓部１０１側に突出するように設けられている遊技機における本発明の特徴構成部分についてであり、図６は、本発明にかかる防御部材８００を設けた第２始動口６０２の要部の拡大斜視図であり、図７は、その正面図、図８は、要部の縦断側面図である。
【００７２】
図４に示すように、この実施例では、防御部材８００は、遊技領域内における構成物、即ち、ここでは、遊技盤３０の中央下方の入賞装置の第２の始動口６０２の下部、アウト口３６の直上方に配置されている。この防御部材８００は、実質的に直方体の形状をなしており、正面視が、横方向に長辺を持つ矩形を成している。
【００７３】
即ち、第２の始動口６０２の下方における遊技盤３０と窓部１０１、実際には二層の透明板１３７Ａ，１３７Ｂとの間を閉塞するように防御部材８００が設けられ、遊技盤３０の下方（主にアウト口３６）ら挿入されるピアノ線等の侵入物によって始動口６０２の命釘等、遊技領域内が改変されるのを防止するように構成されている。
【００７４】
更に、詳細に説明すると、前記二層の透明板１３７Ａ，１３７Ｂの遊技盤側の透明板１３７Ｂには、遊技領域内において、即ち、正面視で内レール５２の内側の位置で、上述したアウト口３６の直上方の対応する箇所に、前記防御部材８００が係入できる切り欠き凹部８０１が設けられている。勿論、この切り欠き凹部８０１は、透明板１３７Ｂを樹脂で成形する場合に、成形板体を切り欠くのではなく、樹脂成型時の凹部の形成として構成するようにしてもよいものである。
【００７５】
そして、この遊技領域内において、遊技盤３０と窓部１０１との間を閉塞する防御部材８００は、その先端部が、前面枠セット１０４の閉鎖状態において、前記切り欠き凹部８０１に係入する状態で、遊技盤３０に設けられているもので、該防御部材８００により遊技盤３０の側方（アウト口３６）から挿入されるピアノ線等の侵入物によって遊技領域内が改変されるのを防止するよ。
【００７６】
又、この実施例では、前記防御部材８００は、比較的に強度の高いＡＢＳ（アクリロニトリル−ブタジエン−スチレン）樹脂で、始動口６０２の入賞装置と一体成形されている。この防御部材８００の成形素材としては、前記入賞装置と一体成形、別体成形を問わず、硬質のゴム、種々のエラストマー、フッ素樹脂、シリコン樹脂等を用いることができるのは勿論のこと、その他の耐熱性、強度のある合成樹脂を用いてもよく、更には金属素材による絞り加工、鋳物成型であってもよい。
【００７７】
〔作用の説明〕
上記の構成によって、前面枠セット１０４の閉鎖状態によって、前記防御部材８００の先端部が切り欠き凹部８０１に係入されると、遊技盤３０と二層の透明板１３７Ａ，１３７Ｂの間の空間が完全に遮断される。
即ち、ゴト師が、ピアノ線を、例えば、上皿１９の排出口６７、或いは下皿１５の排出口１６を経由して、アウト口３６から遊技領域内に侵入させようとする時に、前記防御部材８００が、単に二層の透明板１３７Ａ，１３７Ｂの内側の透明板１３７Ｂに内接しているだけでは、その透明板１３７Ｂと防御部材８００との内接部分をこじ開けて侵入させることもあり得るが、本発明のように、防御部材８００の先端部が内側の透明板１３７Ｂの切り欠き凹部８０１に係入されている状態にあると、そのようなこじ開けが不可能であるし、万一、強引に押し込んでピアノ線が防御部材８００により偏向されて、急角度で曲がったとしても、二層の透明板１３７Ａ，１３７Ｂの間に位置する先端部を迂回せねばならず、ピアノ線の先端は、この透明板１３７Ａ，１３７Ｂの間に侵入した後に更に急角度で曲がらなければ遊技領域内には侵入できないのであり、ピアノ線などでは、こうした侵入の方向性を持たせての２段の折れ曲がりは出来ないものであり、これによって遊技領域内への侵入を確実に阻止できるのである。
【００７８】
〔特徴構成部の変形例−１〕
図９に示すのは、上記防御部材８００の敷設に関する変形例である。この図９の他の一般構成部材については、上記実施例の図４の部材番号の説明を援用し、ここでの重複説明を省く。
この変形例−１では、当該防御部材８００Ａは、前記二層の透明板１３７Ａ，１３７Ｂに設けた切り欠き凹部８０１が、正面視において、遊技領域内の内レール５１よりも内側位置において、実質的に前記内側レール５１に沿って、その内側レール５１の両上端部に至る円弧状に形成されており、前記防御部材８００Ａも、この切り欠き凹部８０１の形状に略一致する円弧状に形成されていて、その円弧状の先端部が、前記前面枠セットの閉鎖状態において、前記切り欠き凹部に係入される構成とされ、装飾部材６３０等の上に突出するように設けられている。
【００７９】
この防御部材８００Ａの構成素材についても、上記実施例の防御部材８００の構成素材と同じ素材が用いられている。
また、ここでは、前記防御部材８００Ａの立体形状は、断面視が矩形を成した湾曲自在の長尺ものとして構成されているが、この長尺ものは、一体的に構成されたもの、或いは分断されたものが繋げられる構成であってもよい。
【００８０】
更に、防御部材８００Ａは、それ自体防御部材としの機能を果たしつつも、素材が有色であれば、装飾部材６３０の一部を構成するようにその形状に意匠が施されるようにしてもよい。また、意匠的な機能表現方法としては、この防御部材７００Ａを有色の素材とする場合には、前記装飾部材６３０の一部を成すように構成し、透明若しくは半透明の素材で構成する場合には、その透明性を活かして前記装飾部材６３０は従前のままとして、この防御部材８００Ａを任意の形状のものとして構成してよい。
【００８１】
〔作用の説明〕
このように、前記防御部材８００Ａが内レール５１に沿って配置されたことで、遊技領域内の主要な構成物、例えば、遊技盤３０の上方に配置された、夫々、構成物の一つである、風車７０２、第２始動口６０２の左右一対の第１始動口６０１、６０１、電動役物ユニット６０３及びこれらに付帯する命釘、誘導釘に対して不正に改変を加えようとして、何らかの手段により遊技盤３０の横方からピアノ線等を遊技領域内に侵入させようとしても、この防御部材８００Ａと前記構成物とによって、遊技盤３０面と透明板１３７Ａ，１３７Ｂとの間の空間を遮断し、且つ、その遮断状態が、防御部材８００Ａの先端部を透明板１３７Ｂの切り欠き凹部８０１に係入した状態であるので、完全に阻止することができるのである。
【００８２】
ここで参考までに、始動口の命釘に対する改変が及ぼす影響について、第１種の遊技機と第２種の遊技機の差異について言及しておく。
図１０に示すように、第１種の遊技機の場合は、図１０（Ａ）に示すように、始動口Ｓ１の命釘Ｎ１の配置は、始動口Ｓ１の上部に２本間隔を隔てて配置されているだけで、例えば、その１本（図示では左の１本）がピアノ線等の侵入物で下方に広げられて湾曲されると、それによる入賞率は高くなるものの、２本釘間での遊技球の遊びによる入賞が無くなるので、さほど入賞率が高くなるものでもなく、しかも、その入賞による影響は、プログラムを進行させる起動を開始させるだけであり、それほどダメージが大きなものではない。
【００８３】
しかし、本発明の実施例の如き第２種の遊技機の場合、その始動口への入賞率が高まると、上部の羽根物が稼動し、直接に出玉が増大するので、影響は甚大である。
また、この種の第２種の遊技機の場合には、図１０（Ｂ）に示すように、始動口Ｓ２の命釘Ｎ２は同様に一対設けられているが、その上方の中央に１本の命釘Ｎ３と、その左右に各１本の案内釘Ｇ１が配置されているのが一般的であり、このような構成の場合に、その始動口Ｓ２の命釘Ｎ２の一方を下方に広げられて湾曲されると、上方の３本の釘のお存在によって始動口Ｓ２に対する入賞率が極端に上昇し、より一層被害が甚大となる。
従って、第２種の遊技機には、こうしたゴト師の釘不正操作の対策がより求められる。
【００８４】
〔特徴構成部の変形例−２〕
図１１に示すように、遊技機が第１種の場合、遊技領域に、構成物の一つである左右一対のスルーゲート７０５，７０５（遊技球の通過により入賞装置の羽根物を開閉させる）が設けられるが、このスルーゲート７０５，７０５の案内釘に対して改変が加えられるのを防止するべく、上記実施例の防御部材７００と実質的に同じ素材で、短い円弧状に形成された防御部材８００Ｂが、スルーゲート７０５，７０５の近傍に設けられ、遊技盤３０の側方から挿入される侵入物（ピアノ線）がスルーゲート７０５，７０５の案内愛釘７０６、７０６に到達できないように構成されている。尚、この図１１の他の一般構成部材については、上記実施例の図４の部材番号の説明を援用し、ここでの重複説明を省く。
【００８５】
即ち、この変形例−２では、前記防御部材８００Ｂは、前記二層の透明板１３７Ａ，１３７Ｂに設けた切り欠き凹部８０１が、正面視において、遊技領域内の内レール５１よりも内側位置において、実質的に前記内側レール５１に沿って、その内側レール５１のスルーゲート７０５，７０５に対応する横側方で、短い円弧状に形成されており、そして、前記防御部材８００Ｂも、この切り欠き凹部８０１の形状に略一致する短い円弧状に形成されていて、その円弧状の先端部が、前記前面枠セットの閉鎖状態において、前記切り欠き凹部８０１に係入される構成とされ、前記遊技盤３０の上に突出するように設けられている。
この防御部材８００Ａの構成素材についても、上記実施例の防御部材８００と同様の素材が用いられている。
【００８６】
（作用の説明）
従って、上述したように、前記防御部材８００Ｂが、内レール５１のスルーゲート７０５，７０５に対応する横側方に沿って配置されたことで、スルーゲート７０５，７０５及びこれらに付帯する命釘、誘導釘に対して不正に改変を加えようとして、何らかの手段により遊技盤３０の横方からピアノ線等を遊技領域内に侵入させようとしても、この防御部材８００Ｂによって、遊技盤３０面と透明板１３７Ａ，１３７Ｂとの間の空間を遮断し、且つ、その遮断状態が、防御部材８００Ａの先端部を透明板１３７Ｂの切り欠き凹部８０１に係入した状態であるので、完全に阻止することができるのである。
【００８７】
このように、スルーゲート７０５，７０５の機能保全を目的として防御部材８００Ｂを配置するので、従来の遊技盤３０の下方に配置した防御部材では達成できなかったスルーゲート７０５，７０５の案内釘の保護が図れ、スルーゲーに起因する入賞率の不正向上を防止することができる。
【００８８】
〔特徴構成部の変形例−３〕
この変形例−３は、上記実施例における二層の透明板１３７Ａ，１３７Ｂのうち、遊技盤３０の側に位置する透明板１３７Ｂが、導光板１３７ｂにより構成されている態様についてのものであり、図１２に基づいて、以下説明する。
この導光板１３７ｂはそれ自体公知の構造のもので、その板の端面から入力した光が板厚内を直進するように表面加工処理されたものであり、従って、その表面加工部分に、刻設等の微細切り欠きが存在すれば、そこから光が表面側に偏光することになるものである。
この導光板１３７ｂからなる透明板１３７Ｂに、上述した切り欠き凹部８０１が形成され、ここに防御部材８００Ｃの先端部が係入される。
【００８９】
図１２に示すように、その防御部材８００Ｃの具体的な構造としては、該防御部材８００Ｃの先端部が、透明又は半透明の合成樹脂製の外郭部８０５の内部に、発光手段８０２、ここではＬＥＤ（発光ダイオード）８０２Ａ，８０２Ｂを２基内蔵して構成されている。前記外郭部８０５とは、その防御部材８００の先端部分を形成するハウジングの一部位を指す。
【００９０】
そして、該導光板１３７ｂには、溝刻設による意匠８０４が形成されており、前記発光手段８０２によって、前記導光板の切り欠き端面８０１Ａに対して光を照射して前記意匠８０４を映し出すように構成してある。
このように、前記透明板１３７Ｂが導光板１３７ｂで構成され、そこに刻設により意匠８０４が形成され、発光手段８０２によって前記意匠８０４が写し出されるようにしたことで、防御部材８００Ｃとしてのピアノ線等の侵入を確実に阻止する効果を発揮しながら、その防御部材８００Ｃの先端部の透明又は半透明の外郭部８０５の導光板１３７ｂへの係入構造を利用して、前記透明板１３７Ａを通しての発光による意匠表現効果も提供できる。
【００９１】
このように、前記防御部材８００Ｃ内に設けられた発光手段８０２がＬＥＤであり、前記切り欠き凹部８０１を通って窓部１０１の前面に照射する部位に設けられている。そして、ＬＥＤを発光手段８０２として用いることで、防御部材８００Ｃが小さくても十分に内蔵させることが出来ると共に窓部１０１の前面に照射する部位に設けることで、照射によるゴト師への防御部材８００Ｃの存在の告知し、その防御部材８００Ｃが二層の透明板１３７Ａ，１３７Ｂに対する嵌め込み状態で設けられていることによって、ピアノ線挿入による不正が不可能であることを知らしめることができる。
【００９２】
そして、前記防御部材８００Ｃ内に設けられた発光手段８０２がＬＥＤであり、前記導光板１３７ｂの切り欠き端面８０１Ａに対向した位置に設けられ、前記防御部材８００Ｃの透明又は半透明の外郭部８０５が前記導光板１３７ｂの切り欠き端面８０１Ａに対向した部分に設けられている。
【００９３】
このように、防御部材８００Ｃに内蔵する発光手段８０２をＬＥＤとすることで、防御部材８００Ｃが小さくても容易に内蔵できると共に防御部８００Ｃの透明又は半透明の外郭部８０５を前記導光板１３７ｂの切り欠き端面８０１Ａに対向した部分に設けることで、前記ＬＥＤの光をその導光板１３７ｂの切り欠き端面８０１Ａに集光させることができて効率よく照射でき、前記導光板１３７ｂの意匠８０４の発光、映し出しをより効果的に行うことが出来る。
【００９４】
〔特徴構成部の変形例−４〕
この変形例−４は、上記実施例における二層の透明板１３７Ａ，１３７Ｂのうち、遊技盤３０の側に位置する透明板１３７Ｂが、導光板１３７ｂにより構成されている態様のものであって、且つ、そこに設けられる防御部材８００が光ファイバーの集合体で構成された防御部材８００Ｄについてのものであり、図１３に基づいて、以下説明する。
【００９５】
前記防御部材８００Ｄが、所定の太さの光ファイバーの集合体８０６で構成され、その遊技盤３０側の端面に発光手段８０２としてのＥＬ８０２Ａ（エレクトロルミネセンス）が設けられ、その光ファイバーの集合体８０６の先端側面が遊技盤側の透明板１３７Ｂの切り欠き部凹部８０１に係入され、前記ＥＬ８０２Ａによって窓部側に照射できるように構成されている。
【００９６】
このように、防御部材８００Ｄを、所定の太さの光ファイバーの集合体８０６で構成することで、防御部材８００Ｄ自体が発光手段８０２の主要部を兼ねることになり、部材点数、構造を簡潔にしながら目的を達成できると共に光ファイバーを集合させるときに任意の形状に束ねることが可能であるので、単独で設置することは勿論のこと、所定の正面視形状（遊技盤の前面から見た）を有する構造物を基礎とした場合であっても、この形状に合わせた曲線等に合わせて集合させて設置するこことが出来る。
【００９７】
また、発光手段８０２としてＥＬ８０２Ａを用いれば、薄いパネル状であるので、設置スペースを取ることもなく、また、光ファイバーの集合体８０６の端面に貼り付ける状態で設置可能であり、全体をコンパクトに出来る。
なお、ＥＬ８０２Ａに代えて、ランプを設けてもよく、この場合には大きな発光エネルギーにより光ファイバーの集合体８０６の前端面に向けて照射でき、十分な輝度をもってゴト師に対して防御部材８００Ｄの存在を告知することができる。
【００９８】
上記変形例４において、図１４に示すように一部改変することができる。即ち、前記防御部材８００Ｄが、所定の太さの光ファイバーの集合体８０６で構成され、その遊技盤側の端面に発光手段８０２としてのＥＬ８０２Ａが設けられ、先端側面が遊技盤側の導光板１３７ｂからなる透明板１３７Ｂの切り欠き凹部８０１に係入され、且つ、前記導光板１３７ｂの切り欠き端面８０１Ａに対応する光ファイバーの集合体８０６の複数本の上周面配置部分に切り欠き８０６Ａが形成され、導光板１３７ｂの切り欠き端面８０６Ａに光を偏向させて導くように構成し、以って前記意匠８０４を映し出すように構成する。
【００９９】
このように防御部材８００Ｄを、所定の太さの光ファイバーの集合体８０６で構成することで、防御部材自体が発光手段の主要部を兼ねることになり、部材点数、構造を簡潔にしながら目的を達成できると共に光ファイバーを集合させるときに任意の形状に束ねることが可能であるので、単独で設置することは勿論のこと、所定の正面視形状（遊技盤の前面から見た）を有する構造物を基礎とした場合であっても、この形状に合わせた曲線等に合わせて集合させて設置するこことが出来るのは、上記の変形例４と同じであるが、加えて、加えて、前記導光板１３７ｂの切り欠き端面８０１Ａに対応する光ファイバーの集合体８０６部分に切り欠８０６Ａを形成するだけで、導光板１３７ｂの切り欠き端面８０１Ａに光を偏向させて導くことができて、複数のＬＥＤを設ける必要なく、光ファイバーの集合体８０６のみで防御部材８００Ｄを構成するものでありながら、その導光板１３７Ｂの意匠８０４を映し出すことができる。
【０１００】
上記変形例４において、図１５に示すように一部改変することができる。即ち、前記二層の透明板１３７Ａ、１３７Ｂの遊技盤側の透明板１３７Ｂが導光板１３７ｂで構成され、該導光板１３７ｂには溝刻設による意匠８０４が形成されており、ここでの防御部材８００Ｅは、前記導光板１３７ｂの切り欠き端面８０１Ａに対して光を照射する発行手段としてのＬＥＤ８０２Ｂを備え、且つ、窓部１０１の前方に光を照射する光ファイバーの集合体８０６と、該光ファイバーの集合体８０６に対する発光手段としてのランプ８０７を備えている。
【０１０１】
このように構成したことで、防御部材８００Ｅに対するＬＥＤ８０２Ｂの設置、及び光ファイバーの集合体８０６の設置について、防御部材８００Ｅの一部又は全部を透明な外郭部材で構成する必要はなく、防御部材８００Ｅの構成を簡単なものとすることが出来る。更に、図１５に示す中空構造とは異なり、例えば、防御部材８００Ｅを、不透明な合成樹脂の中実成型（光ファイバーの集合体８０６及びＬＥＤ８０２Ｂ等を金型にセッティングした状態での充填成型）でもって簡単に構成することも可能である。
【産業上の利用可能性】
【０１０２】
以上のように、本発明は、遊技機の遊技領域の構成物に対する不正改変を防止するものであるから、構成物を備えた種々のパチンコ機等の遊技機に適用できる。
【符号の説明】
【０１０３】
６０１：第１始動口
６０２：第２始動口
８００：防御部材
８００Ａ：一変形例の防御部材
８００Ｂ：一変形例の防御部材
８００Ｃ：一変形例の防御部材
８００Ｄ：一変形例の防御部材
８００Ｅ：一変形例の防御部材
【図１】
2011139946.tif 000003
【図２】
2011139946.tif 000004
【図３】
2011139946.tif 000005
【図４】
2011139946.tif 000006
【図５】
2011139946.tif 000007
【図６】
2011139946.tif 000008
【図７】
2011139946.tif 000009
【図８】
2011139946.tif 000010
【図９】
2011139946.tif 000011
【図１０】
2011139946.tif 000012
【図１１】
2011139946.tif 000013
【図１２】
2011139946.tif 000014
【図１３】
2011139946.tif 000015
【図１４】
2011139946.tif 000016
【図１５】
2011139946.tif 000017